(57)【要約】      （修正有）【課題】画期的な測定ソリューションサービスを提供する。【解決手段】測定ソリューションサービス提供システム１は、複数の測定源Ａ，Ｂ，Ｃから送信される測定データを収集し、収集した測定データの処理を要求するために、通信ネットワーク５を介して、測定データを送信する、ように構成されたプロセッサを含み、ＩｏＴゲートウェイとして機能し、拠点毎に配置される複数の中継装置２１と；拠点毎に配置される複数の中継装置２１からそれぞれ送信される測定データを受信し、測定データベースに論理的なトリー形態を採る階層構造で集積処理し、集積処理した測定データを拠点毎に集計分析処理すると共に、拠点間の統合対象毎に集計分析処理し、測定データの集計分析処理の結果を表示処理し、表示要求に応じて、表示処理結果を送信する、ように構成されたクラウドコンピューティングシステム３と；を備える。【選択図】図１
2019145113.tif 000002
【特許請求の範囲】
【請求項１】
複数の測定源から送信される測定データを収集し、
収集した前記測定データの処理を要求するために、通信ネットワークを介して、前記測定データを送信する、
ように構成されたプロセッサを含み、ＩｏＴゲートウェイとして機能し、拠点毎に配置される複数の中継装置と；
前記拠点毎に配置される複数の中継装置からそれぞれ送信される前記測定データを受信し、測定データベースに論理的なトリー形態を採る階層構造で集積処理し、
集積処理した前記測定データを前記拠点毎に集計分析処理すると共に、前記拠点間の統合対象毎に集計分析処理し、
前記測定データの集計分析処理の結果を表示処理し、表示要求に応じて、表示処理結果を送信する、
ように構成されたクラウドコンピューティングシステムと；を備え、
前記測定データは、前記クラウドコンピューティングシステムの利用事業者を特定する識別情報を始点とし、前記拠点を特定する識別情報及び前記測定源を特定する識別情報を分岐点とし、前記測定源における測定値及び測定時刻情報を終点とする、前記論理的なトリー形態を採る階層構造で前記測定データベースに集積され、
前記クラウドコンピューティングシステムにおける前記集計分析処理は、前記論理的なトリー形態を採る階層構造の終点として前記測定データベースに集積されている前記測定源における測定値について、同一始点配下の前記拠点間の関連性を前記測定値の測定単位または前記測定源の種別に基づいて認識することにより、前記測定データを前記拠点間の統合対象毎に集計分析処理する、
測定ソリューションサービス提供システム。
【請求項２】
前記複数の測定源は測定器をそれぞれ含み、
前記測定器は前記測定データを自立的に送信可能な測定器を含む、
請求項１記載の測定ソリューションサービス提供システム。
【請求項３】
前記複数の測定源は測定器をそれぞれ含み、
前記測定器は前記測定データを自立的に送信可能な測定器と併存するスタンドアロン状態の測定器を含む、
請求項１記載の測定ソリューションサービス提供システム。
【請求項４】
前記測定データを収集する処理は、前記スタンドアロン状態の測定器による前記測定データを入力可能にするための画面を表示する測定データ入力装置から送信される前記測定データを収集する、
請求項３記載の測定ソリューションサービス提供システム。
【請求項５】
複数の測定源から送信される測定データを収集するステップと、
収集した前記測定データの処理を要求するために、通信ネットワークを介して、前記測定データを送信するステップとを、
ＩｏＴゲートウェイとして機能し、拠点毎に配置される複数の中継装置におけるプロセッサがそれぞれ処理し；
前記拠点毎に配置される複数の中継装置からそれぞれ送信される前記測定データを受信し、測定データベースに論理的なトリー形態を採る階層構造で集積処理するステップと、
集積処理した前記測定データを前記拠点毎に集計分析処理すると共に、前記拠点間の統合対象毎に集計分析処理するステップと、
前記測定データの集計分析処理の結果を表示処理し、表示要求に応じて、表示処理結果を送信するステップとを、
クラウドコンピューティングシステムが処理し；
前記測定データは、前記クラウドコンピューティングシステムの利用事業者を特定する識別情報を始点とし、前記拠点を特定する識別情報及び前記測定源を特定する識別情報を分岐点とし、前記測定源における測定値及び測定時刻情報を終点とする、前記論理的なトリー形態を採る階層構造で前記測定データベースに集積され、
前記クラウドコンピューティングシステムにおける前記集計分析処理するステップは、前記論理的なトリー形態を採る階層構造の終点として前記測定データベースに集積されている前記測定源における測定値について、同一始点配下の前記拠点間の関連性を前記測定値の測定単位または前記測定源の種別に基づいて認識することにより、前記測定データを前記拠点間の統合対象毎に集計分析処理する、
測定ソリューションサービス提供方法。
【請求項６】
複数の測定源から送信される測定データを収集し、
収集した前記測定データの処理を要求するために、通信ネットワークを介して、前記測定データを送信する、
ように構成されたプロセッサをそれぞれ含み、ＩｏＴゲートウェイとして機能する複数の中継装置と連携するクラウドコンピューティングシステムであって；
拠点毎に配置される前記複数の中継装置からそれぞれ送信される前記測定データを受信し、測定データベースに論理的なトリー形態を採る階層構造で集積処理し、
集積処理した前記測定データを前記拠点毎に集計分析処理すると共に、前記拠点間の統合対象毎に集計分析処理し、
前記測定データの集計分析処理の結果を表示処理し、表示要求に応じて、表示処理結果を送信するように構成され、
前記測定データは、前記クラウドコンピューティングシステムの利用事業者を特定する識別情報を始点とし、前記拠点を特定する識別情報及び前記測定源を特定する識別情報を分岐点とし、前記測定源における測定値及び測定時刻情報を終点とする、前記論理的なトリー形態を採る階層構造で前記測定データベースに集積され、
前記集計分析処理は、前記論理的なトリー形態を採る階層構造の終点として前記測定データベースに集積されている前記測定源における測定値について、同一始点配下の前記拠点間の関連性を前記測定値の測定単位または前記測定源の種別に基づいて認識することにより、前記測定データを前記拠点間の統合対象毎に集計分析処理する、
クラウドコンピューティングシステム。
【請求項７】
複数の測定源から送信される測定データを収集し、
収集した前記測定データの処理を要求するために、通信ネットワークを介して、前記測定データを送信する、
ように構成されたプロセッサをそれぞれ含み、ＩｏＴゲートウェイとして機能する複数の中継装置と連携するクラウドコンピューティングシステムを、
拠点毎に配置される前記複数の中継装置からそれぞれ送信される前記測定データを受信し、測定データベースに論理的なトリー形態を採る階層構造で集積処理する手段と、
集積処理した前記測定データを前記拠点毎に集計分析処理すると共に、前記拠点間の統合対象毎に集計分析処理する手段と、
前記測定データの集計分析処理の結果を表示処理し、表示要求に応じて、表示処理結果を送信する手段として機能させ、
前記測定データは、前記クラウドコンピューティングシステムの利用事業者を特定する識別情報を始点とし、前記拠点を特定する識別情報及び前記測定源を特定する識別情報を分岐点とし、前記測定源における測定値及び測定時刻情報を終点とする、前記論理的なトリー形態を採る階層構造で前記測定データベースに集積され、
前記集計分析処理する手段は、前記論理的なトリー形態を採る階層構造の終点として前記測定データベースに集積されている前記測定源における測定値について、同一始点配下の前記拠点間の関連性を前記測定値の測定単位または前記測定源の種別に基づいて認識することにより、前記測定データを前記拠点間の統合対象毎に集計分析処理する、
測定ソリューションサービス提供プログラム。
【発明の詳細な説明】
【技術分野】
【０００１】
本発明は、測定ソリューションサービス提供システムに関し、更には、測定ソリューションサービス提供方法、クラウドコンピューティングシステム、及び測定ソリューションサービス提供プログラムに関する。
【背景技術】
【０００２】
近年、ＩｏＴ（Internet of Things）と称される技術が注目されている。このＩｏＴは、あらゆる物体（モノと記載することもある）がＯＰＥＮ特性を有するインターネットにアクセス可能な状態になることにより、物体から発生されるデータを利活用することを実現するための一技術である。
【０００３】
ＩｏＴ技術は、第４次産業革命として期待され、モノとインターネットとを結びつけることにより、様々な産業分野を急速に変えつつある。例えば、国内市場のユーザ支出額は平均１６．９％で成長し、２０２０年の国内市場は１４兆円に達すると予測されている。そして、ドイツではｉｎｄｕｓｔｒｉｅ４．０の取組みが始まっており、世界的にも活発な市場である。
【０００４】
このような背景を受けて、測定器の製造業界においては、今年度をＩｏＴ元年と位置づけ、インフラストラクチャ（インフラまたは基盤と記載することもある）の整備と共に、ＩｏＴ技術を利活用した測定システムの開発が期待されている。
【０００５】
しかし、これまでに、このような期待を充足する測定ソリューションサービスを提供するシステムは提案されていない。例えば、特許文献１には、ＩｏＴ技術に関する背景技術がクラウドコンピューティング技術との関連で開示されている。特許文献２，３には、クラウドコンピューティング技術に関する背景技術が開示されている。また、特許文献４には、測定（計測）データの収集に関する一技術が開示されている。さらに、特許文献５には、測定データの表示に関する一技術が開示されている。
【先行技術文献】
【特許文献】
【０００６】
【特許文献１】特表２０１６−５２２９３９号公報
【特許文献２】特表２０１５−５３４１６７号公報
【特許文献３】特開２０１６−２２４５７８号公報
【特許文献４】特開２００３−２７２０７４号公報
【特許文献５】特開２００３−９０７４２号公報
【発明の概要】
【発明が解決しようとする課題】
【０００７】
補足すると、ものづくり拠点（現場）に分散配置された複数の測定源から送信される異なるフォーマットの測定データを収集し、集計分析処理及び表示処理するとき、従来の測定システムにおける主な課題は次の４つの事項である。
【０００８】
（１）測定データの集計コストの増大を免れない。つまり、データ集計に多くの人的工数を要し、運用コストが増加する。
【０００９】
（２）集計データの分析結果の表示に即時性を欠く。このために、品質の劣化などに対する対処が遅れ、品質事故やトラブル発生のリスクがある。
【００１０】
（３）ものづくり拠点間の集計フォームやデータ統合が困難である。つまり、データの集計・分析が一般的に拠点毎に行われるため、データの統合には多くの工数と労力を要する。
【００１１】
（４）データ分析の自動化が困難である。つまり、データ分析の自動化を行うためには、サーバ及び専用ソフトウェアなどの導入コストが拠点毎に個別に発生する。
【００１２】
課題は、ＩｏＴ技術とクラウドコンピューティング技術との連携などにより、測定データ処理に関する画期的な測定ソリューションサービスを実現可能にする技術を提供することにある。
【課題を解決するための手段】
【００１３】
上記課題を解決するために、一態様の測定ソリューションサービス提供システムは、
複数の測定源から送信される測定データを収集し、
収集した前記測定データの処理を要求するために、通信ネットワークを介して、前記測定データを送信する、
ように構成されたプロセッサを含み、ＩｏＴゲートウェイとして機能し、拠点毎に配置される複数の中継装置と；
前記拠点毎に配置される複数の中継装置からそれぞれ送信される前記測定データを受信し、測定データベースに論理的なトリー形態を採る階層構造で集積処理し、
集積処理した前記測定データを前記拠点毎に集計分析処理すると共に、前記拠点間の統合対象毎に集計分析処理し、
前記測定データの集計分析処理の結果を表示処理し、表示要求に応じて、表示処理結果を送信する、
ように構成されたクラウドコンピューティングシステムと；を備え、
前記測定データは、前記クラウドコンピューティングシステムの利用事業者を特定する識別情報を始点とし、前記拠点を特定する識別情報及び前記測定源を特定する識別情報を分岐点とし、前記測定源における測定値及び測定時刻情報を終点とする、前記論理的なトリー形態を採る階層構造で前記測定データベースに集積され、
前記クラウドコンピューティングシステムにおける前記集計分析処理は、前記論理的なトリー形態を採る階層構造の終点として前記測定データベースに集積されている前記測定源における測定値について、同一始点配下の前記拠点間の関連性を前記測定値の測定単位または前記測定源の種別に基づいて認識することにより、前記測定データを前記拠点間の統合対象毎に集計分析処理する。
【００１４】
この態様において、前記複数の測定源は測定器をそれぞれ含み、前記測定器は前記測定データを自立的に送信可能な測定器を含む。
【００１５】
この態様において、前記複数の測定源は測定器をそれぞれ含み、前記測定器は前記測定データを自立的に送信可能な測定器と併存するスタンドアロン状態の測定器を含む。
【００１６】
この態様において、前記測定データを収集する処理は、前記スタンドアロン状態の測定器による前記測定データを入力可能にするための画面を表示する測定データ入力装置から送信される前記測定データを収集する。
【発明の効果】
【００１７】
開示した技術によれば、ＩｏＴ技術とクラウドコンピューティング技術との連携などにより、測定データをクラウドコンピューティングシステムに集積し、集計分析処理及び表示処理することにより、いつでも、どこでも、拠点における状況を把握可能な画期的な測定ソリューションサービスを提供することができる。
【００１８】
他の課題、特徴及び利点は、図面及び特許請求の範囲とともに取り上げられる際に、以下に記載される発明を実施するための形態を読むことにより明らかになるであろう。
【図面の簡単な説明】
【００１９】
【図１】一実施の形態の測定ソリューションサービス提供システムの構成を示すブロック図。
【図２】一実施の形態のシステムにおける異なるフォーマットの測定データを説明するための図。
【図３】一実施の形態のシステムにおける共通フォーマットの測定データを説明するための図。
【図４】一実施の形態のシステムにおけるＳａａＳ型クラウドを説明するための図。
【図５】一実施の形態のシステムにおける共通フォーマットの測定データの階層構造を説明するための図。
【図６】一実施の形態のシステムにおける共通フォーマットの測定データの階層構造を説明するための図。
【図７】一実施の形態のシステムにおけるＳａａＳ型クラウドの処理を説明するための図。
【図８】一実施の形態のシステムにおけるＳａａＳ型クラウドの処理を説明するための図。
【図９】一実施の形態のシステムにおけるモニタリング表示例及びアラート通知例を説明するための図。
【図１０】一実施の形態のシステムにおける測定ソリューションサービス提供処理を説明するためのシーケンス図。
【００２０】
【図１１】第１変形例の測定ソリューションサービス提供システムの構成を示すブロック図。
【図１２】第１変形例のシステムにおける測定器の一例を示す図。
【図１３Ａ】第１変形例のシステムにおける測定データ入力装置の測定データ入力画面を説明するための図。
【図１３Ｂ】第１変形例のシステムにおける測定データ入力装置の測定データ入力画面を説明するための図。
【図１４】第１変形例のシステムにおける測定データ入力装置の測定データ入力処理を説明するための図。
【図１５】第２変形例の測定ソリューションサービス提供システムの構成を示すブロック図。
【図１６】第２変形例のシステムにおける測定器の一例を示す図。
【図１７】第２変形例のシステムにおけるＩｏＴ中継装置の測定データ受信確認画面を説明するための図。
【発明を実施するための形態】
【００２１】
以下、添付図面を参照して、さらに詳細に説明する。図面には好ましい実施形態が示されている。しかし、多くの異なる形態で実施されることが可能であり、本明細書に記載される実施形態に限定されない。
【００２２】
［測定ソリューションサービス提供システム］
一実施の形態におけるシステム構成を示す図１を参照すると、測定ソリューションサービス提供システム１は、ＩｏＴ技術とクラウドコンピューティング技術との連携により、共通フォーマットの測定データをクラウドコンピューティングシステムに集積し、集計分析処理及び表示処理することにより、いつでも、どこでも、ものづくり拠点（現場）における各工程の品質状況を把握可能な画期的な測定ソリューションサービスを提供するシステムである。
【００２３】
この測定ソリューションサービス提供システム１は、複数のデバイスネットワーク２、クラウドコンピューティングシステム３、閲覧者利用端末４、第１通信ネットワーク５、及び第２通信ネットワーク６を備える。ここで、第１通信ネットワーク５及び第２通信ネットワーク６は、システム１がＩｏＴ技術の適用を前提にしているので、ＩＰネットワークであり、より具体的には、ＯＰＥＮ特性を有するインターネットである。なお、通信ネットワーク５，６は同一のネットワークであることもある。
【００２４】
デバイスネットワーク２は、クラウドコンピューティングシステム３を利用する契約事業者（クラウド利用事業者）のものづくり現場内、つまり製造現場（製造工場）内に構築されるＬＡＮ（Local Area Network）である。デバイスネットワーク２は、国内及び／または海外の製造現場毎に構築されて、複数（Ｎ個）存在することになる。
【００２５】
各デバイスネットワーク２は、ＩｏＴ中継装置２１と、複数の測定源Ａ，Ｂ，Ｃとしての測定器２２Ａ，２２Ｂ，２２Ｃ及び無線送信機２３Ａ，２３Ｂと、無線受信機２４とを備える。
【００２６】
製造現場内の各工程に分散（離散）配置され、各工程の品質状況を測定する複数の測定源Ａ，Ｂ，Ｃの内の測定器２２Ａ，２２Ｂは、デジタル測定器であり、接続された無線送信機２３Ａ，２３Ｂを介して、近距離無線通信により測定データＡＡ，ＢＢを無線受信機２４に送信する。また、測定器２２Ｃは、アナログ測定器であり、有線通信により測定データＣＣをＩｏＴ中継装置２１に送信する。測定データＡＡ，ＢＢ，ＣＣは、好ましくは、複数の測定源Ａ，Ｂ，Ｃから予め定めた間隔で自主的に送信される。ここで、予め定めた間隔は、製造現場内の各工程の物体（モノ）の品質状況を把握するために妥当なサンプリング時間（例えば、数分）に相当する。
【００２７】
複数の測定源Ａ，Ｂ，Ｃから受信機２４及びＩｏＴ中継装置２１に送信される測定データＡＡ，ＢＢ，ＣＣは、図２に例示するように、測定源毎に異なるデータ長（例えば、数バイト〜数十バイト）であり、かつ測定源毎に異なる測定対象の測定値（例えば、長さ、重さ、硬さなど）の項目を少なくとも含む、異なるフォーマットの測定データである。ここでは、測定値は測定単位（例えば、ｍｍ、ｇなど）を含んでいるが、測定単位を別の項目としてもよい。
【００２８】
異なるフォーマットの測定データである理由は、測定器２２Ａ，２２Ｂ，２２Ｃ及び無線送信機２３Ａ，２３Ｂのメーカが異なること、測定器２２Ａ，２２Ｂ，２２Ｃの種別がデジタル測定器、アナログ測定器、寸法測定器、重量測定器、硬度測定器などと異なることなども起因する。後に詳述するように、この測定ソリューションサービス提供システム１においては、このような異なるフォーマットの測定データを共通フォーマットの測定データに変換処理することが測定ソリューションの重要な一要素である。
【００２９】
無線受信機２４は、測定源Ａ，Ｂから送信された測定データＡＡ，ＢＢを受信し、異なるフォーマットの測定データの状態でＩｏＴ中継装置２１に入力する。
【００３０】
各ＩｏＴ中継装置２１は、具体的には、クラウド提供事業者から提供されるＩｏＴゲートウェイであり、製造現場内の各工程に分散配置され、各工程の品質状況を測定する複数の測定源Ａ，Ｂ，Ｃから送信されたそれぞれ異なるフォーマットの測定データＡＡ，ＢＢ，ＣＣをリアルタイムに収集する機能と、収集した異なるフォーマットの測定データＡＡ，ＢＢ，ＣＣを共通フォーマットの測定データＤＤに変換する機能とを含む。
【００３１】
また、ＩｏＴ中継装置２１は、変換した共通フォーマットの測定データＤＤの処理を要求するために、第１通信ネットワーク５を介し、クラウドコンピューティングシステム３に対して、共通フォーマットの測定データＤＤを送信する機能を含む。
【００３２】
このＩｏＴ中継装置２１は、第１通信ネットワーク５を介し、クラウドコンピューティングシステム３に対して、共通フォーマットの測定データＤＤを送信するとき、デバイスネットワーク２の通信プロトコルを第１通信ネットワーク５のＩＰ（Internet Protocol）プロトコルに変換するゲートウェイ機能を更に含む。この測定ソリューションサービス提供システム１においては、このゲートウェイ機能により、モノとインターネットとを結びつける。
【００３３】
共通フォーマットの測定データＤＤは、図３に例示するように、予め定めたデータ長であり、予め定めた項目として、クラウドコンピューティングシステム３のクラウド利用事業者を特定する識別情報（利用事業者識別情報）ＩＤ１、製造現場対応の拠点を特定する識別情報（拠点識別情報）ＩＤ２、測定源Ａ，Ｂ，Ｃを特定する識別情報（測定源識別情報）ＩＤ３、測定源Ａ，Ｂ，Ｃにおける測定値ＭＶ、及び年／月／日、時：分の形式の測定時刻情報ＭＴを少なくとも含む。
【００３４】
ここで、利用事業者識別情報ＩＤ１、拠点識別情報ＩＤ２、測定源識別情報ＩＤ３、及び測定時刻情報ＭＴは、収集した異なるフォーマットの測定データＡＡ，ＢＢ，ＣＣを共通フォーマットの測定データＤＤにそれぞれ変換するときに付加される。例えば、利用事業者識別情報ＩＤ１及び拠点識別情報ＩＤ２は、クラウド利用事業者により、ＩｏＴ中継装置２１のメモリ（ディスク）に予め登録（格納）される。測定源識別情報ＩＤ３は、ＩｏＴ中継装置２１に収容する測定源Ａ，Ｂ，ＣのＭＡＣ（Media Access Control）アドレスなどに基づいて生成可能である。測定時刻情報ＭＴは、ＩｏＴ中継装置２１における通算秒（積算秒）または標準時刻に基づいて生成され、厳密には収集（受信）した時刻情報である。
【００３５】
また、共通フォーマットの測定データＤＤは、ＩｏＴ中継装置２１を特定する送信元情報ＳＡ、及びクラウドコンピューティングシステム３を特定する宛先情報ＤＳを更に付加され（図３には図示省略）、ＩＰパケット形態でクラウドコンピューティングシステム３にリアルタイムに送信される。
【００３６】
後に詳述するように、各デバイスネットワーク２の各ＩｏＴ中継装置２１から送信されてクラウドコンピューティングシステム３において受信された共通フォーマットの測定データＤＤは、クラウドコンピューティングシステム３の測定データベースにおいて、論理的なトリー形態を採る階層構造で格納（集積）されることになる。
【００３７】
上述したＩｏＴ中継装置２１は、ハードウェア構成として、次の要素を含んでいる。つまり、プロセッサとしてのＣＰＵ（Central Processing Unit）と、作業用メモリとしてのＲＡＭ（Random Access Memory）と、立ち上げのためのブートプログラムを格納したＲＯＭ（Read Only Memory）とを備える。
【００３８】
また、ＩｏＴ中継装置２１は、ＯＳ（Operating System）、アプリケーションプログラム、及び各種情報（データを含む）を書換え可能に格納する不揮発性のフラッシュメモリとしてのディスクと、通信制御部と、ＮＩＣ（Network Interface Card）などの通信インタフェース部などとを備える。これらのハードウェア構成は、当業者が容易に理解でき、実施可能であるので、この構成の図示を省略している。
【００３９】
上述した各機能を論理的に実現するには、フラッシュメモリに処理プログラムをアプリケーションプログラムとしてインストールしておく。そして、ＩｏＴ中継装置２１においては、電源投入を契機に、プロセッサ（ＣＰＵ）がこの処理プログラムをＲＡＭに常時展開して実行する。
【００４０】
クラウドコンピューティングシステム３は、クラウド提供事業者が維持・管理するクラウドサーバコンピュータであり、ＩｏＴハブ３１及びＳａａＳ型クラウド３２を備える。
【００４１】
このクラウドコンピューティングシステム３においては、ＩｏＴハブ３１は、第１通信ネットワーク５を介して、クラウド利用事業者の複数の製造現場に対応する複数（Ｎ個）のデバイスネットワーク２に接続される。
【００４２】
一般に、クラウドコンピューティングシステムが提供するクラウドサービスには、サービスとしてのソフトウェア（サース：ＳａａＳ（Software as a Service））、サービスとしてのプラットフォーム（パース：ＰａａＳ（Platform as a Service））、及びサービスとしてのインフラストラクチャ（イァース：ＩａａＳ（Infrastructure as a Service））がある。
【００４３】
ここで、ＳａａＳクラウドサービスは最上位のアプリケーションソフトウェア（Applications）までを提供する。ＰａａＳクラウドサービスは、アプリケーションソフトウェアが稼動するためのハードウェア（Hardware）、オペレーティングシステム（Operating System）、及びミドルウェア（Middleware）を含むプラットフォーム（Platform）一式を提供する。ＩａａＳクラウドサービスはハードウェア（ＣＰＵ、ストレージ）及びオペレーティングシステムを含むインフラストラクチャを提供する。
【００４４】
このクラウドコンピューティングシステム３においては、図４に詳細を示すように、ＳａａＳ型クラウド３２を採用する。ＳａａＳ型クラウド３２は、各ＩｏＴ中継装置２１からリアルタイムに送信された共通フォーマットの測定データＤＤを第１通信ネットワーク５及びＩｏＴハブ３１を介して受信する。そして、ＳａａＳ型クラウド３２は、受信した共通フォーマットの測定データＤＤを集積処理及び集計分析処理する。
【００４５】
また、ＳａａＳ型クラウド３２は、集積処理した共通フォーマットの測定データＤＤの集計分析処理の結果を表示処理し、閲覧者利用端末４から表示要求があったときは、表示処理結果を第２通信ネットワーク６を介して閲覧者利用端末４に送信する。
【００４６】
更に詳述すると、各デバイスネットワーク２の各ＩｏＴ中継装置２１から送信されてクラウドコンピューティングシステム３に受信された共通フォーマットの測定データＤＤは、ＳａａＳ型クラウド３２の集積処理により、測定データベースＤＢ１において、図５及び図６に例示するように、論理的なトリー形態を採る階層構造で格納（集積）される。
【００４７】
つまり、ＳａａＳ型クラウド３２は、受信した共通フォーマットの測定データＤＤの集積処理により、測定データベースＤＢ１において、利用事業者識別情報ＩＤ１−拠点識別情報ＩＤ２−測定源識別情報ＩＤ３の階層に対応して、拠点Ｘ，Ｙ，Ｚ毎の測定源Ａ，Ｂ，Ｃにおける測定値ＭＶ及び測定時刻情報ＭＴを順次集積する。
【００４８】
したがって、共通フォーマットの測定データＤＤは、測定データベースＤＢ１において、利用事業者識別情報ＩＤ１を始点とし、拠点識別情報ＩＤ２及び測定源識別情報ＩＤ３を分岐点とし、測定値ＭＶ及び測定時刻情報ＭＴを終点とする、論理的なトリー形態を採る階層構造として捉えることができる。
【００４９】
ＳａａＳ型クラウド３２は、集積処理された測定データベースＤＢ１における共通フォーマットの測定データＤＤを集計分析処理するとき、拠点Ｘ，Ｙ，Ｚ毎の測定源Ａ，Ｂ，Ｃにおける測定値ＭＶ及び測定時刻情報ＭＴを統計的工程管理（ＳＰＣ：Statistical Process Control）分析により処理する。
【００５０】
また、ＳａａＳ型クラウド３２は、集計分析処理するとき、拠点Ｘ，Ｙ，Ｚ間の測定源Ａ，Ｂ，Ｃにおける測定値ＭＶ及び測定時刻情報ＭＴを統合した後、ＳＰＣ分析により処理する。この統合のために、ＳａａＳ型クラウド３２は、拠点Ｘ，Ｙ，Ｚ間の測定源Ａ，Ｂ，Ｃにおける測定値ＭＶが関連することを測定値ＭＶに含まれている測定単位に基づいて認識する。図６には、拠点Ｘの測定源Ａ（ＩＤ３−Ａ）と、拠点Ｙの測定源Ａ（ＩＤ３−Ａ）と、拠点Ｚの測定源Ｂ（ＩＤ３−Ｂ）とにおける測定値ＭＶが統合対象として関連することを例示している。
【００５１】
なお、ＳａａＳ型クラウド３２は、測定単位に基づく認識が適用できない場合、予め定められた統合定義に基づいて、拠点Ｘ，Ｙ，Ｚ間の測定源Ａ，Ｂ，Ｃにおける測定値ＭＶの関連を認識する。この統合定義には、拠点Ｘ，Ｙ，Ｚ毎の測定源Ａ，Ｂ，Ｃの測定器２２Ａ，２２Ｂ，２２Ｃの種別、つまり寸法測定器、重量測定器、硬度測定器などに応じて、拠点Ｘ，Ｙ，Ｚ間の測定源Ａ，Ｂ，Ｃを関連づけて予め設定（登録）しておく。
【００５２】
ここで、ＳａａＳ型クラウド３２が採用するＳＰＣ分析は、統計学及びグラフを利用して、工程の監視及び工程の可視化を行う手法である。ＳＰＣ分析では、管理図（Ｘｂａｒ−Ｒ管理図、Ｘｂａｒ−σ管理図など）、ヒストグラム、ランチャート、箱ひげ、散布図などのグラフや、工程能力指数（Process Capability Index）Ｃｐ及び工程性能指数（Process Performance Index）Ｐｐなどの統計量を一画面に表示可能である。これにより、工程に関する多くの品質解析情報を一画面から得ることを可能にする。
【００５３】
ＳａａＳ型クラウド３２は、測定データベースＤＢ１に集積した共通フォーマットの測定データＤＤを閲覧者利用端末４に対してグラフ表示、データ表示、及びモニタリング表示可能なように、ＳＰＣ分析により集計分析処理すると共に、集計分析処理の結果をデータベース（図示省略）に格納する。
【００５４】
ＳａａＳ型クラウド３２は、閲覧者利用端末４からの表示要求に応じて、集計分析処理の結果をグラフ表示するときは、ヒストグラム、ランチャート、管理図などのグラフを表示処理結果として表示させる（図７参照）。
【００５５】
また、ＳａａＳ型クラウド３２は、閲覧者利用端末４からの表示要求に応じて、集計分析処理の結果をデータ表示するときは、平均値、最大値、最小値、標準偏差、３σ、工程能力指数Ｃｐなどのデータを表示処理結果（レポート）として表示させる（図７参照）。
【００５６】
さらに、ＳａａＳ型クラウド３２は、閲覧者利用端末４からの表示要求に応じて、集計分析処理の結果をモニタリング表示するときは、ランチャートなどを表示処理結果として表示させる（図７参照）。
【００５７】
なお、閲覧者利用端末４からの表示要求には、測定源選択、グラフ選択、データ選択、期間選択などの指定が含まれる。モニタリング表示についての表示要求には、リアルタイム表示、２４時間遡り表示、１，５００件遡り表示などの指定が更に含まれる（図７，図８参照）。
【００５８】
モニタリング表示においては、ＳａａＳ型クラウド３２は、集計分析処理の結果の常時監視を行い、予め定めた限界閾値（例えば、プラス公差、マイナス公差）を越えた場合には、対応のグラフ表示箇所（ドット）を赤色表示すると共に、アラート通知（例えば、公差を外れました！！）を可視表示により行う（図９参照）。この場合、ＳａａＳ型クラウド３２は、対応の測定源の状態を赤色点滅により画面表示してもよい。なお、アラート通知トリガの閾値として、３σ越え、測定値差越えなどを設定してもよい。
【００５９】
また、モニタリング表示においては、アラート通知トリガの閾値として限界閾値接近閾値を設定しておき、ＳａａＳ型クラウド３２は、集計分析処理の結果の常時監視を行い、限界閾値接近閾値（例えば、プラス公差の近傍、マイナス公差の近傍）を越えた場合には、事前アラート通知（例えば、公差を外れそうです！！）を可視表示により行ってもよい。この場合、ＳａａＳ型クラウド３２は、上記同様に、赤色表示及び赤色点滅により表示してもよい。つまり、ＳａａＳ型クラウド３２は、測定データベースＤＢ１に集積した共通フォーマットの測定データＤＤの集計分析処理の結果に基づいて、工程異常（品質異常）の発生を事前予測することになる。
【００６０】
上述したように、クラウドコンピューティングシステム３のＳａａＳ型クラウド３２は、複数のＩｏＴ中継装置２１からそれぞれ送信される共通フォーマットの測定データＤＤを受信し、測定データベースＤＢ１に階層構造で集積処理する機能と、集積処理した共通フォーマットの測定データＤＤを統合対象毎に集計分析処理する機能と、共通フォーマットの測定データＤＤの集計分析処理の結果を表示処理し、閲覧者利用端末４からの表示要求に応じて、表示処理結果を閲覧者利用端末４に送信する機能とを含む。
【００６１】
ＳａａＳ型クラウド３２において、上述した各機能を論理的に実現するには、フラッシュメモリに処理プログラムをアプリケーションプログラムとしてインストールしておく。そして、ＳａａＳ型クラウド３２においては、電源投入を契機に、プロセッサ（ＣＰＵ）がこの処理プログラムをＲＡＭに常時展開して実行する。測定データベースＤＢ１などは、フラッシュメモリに構成され、予め定めたデータ蓄積量を保って更新される。
【００６２】
閲覧者利用端末４は、Ｗｅｂ（World Wide Web）ブラウザを有する、パーソナルコンピュータＰＣ、スマートフォンＳＰ、及びタブレットＴＢなどの端末であり、クラウド利用事業者の閲覧者によって利用される。
【００６３】
閲覧者利用端末４は、第２通信ネットワーク６を介し、クラウドコンピューティングシステム３に対して、共通フォーマットの測定データＤＤの表示処理結果を要求するための表示要求を送信する機能と、クラウドコンピューティングシステム３から表示処理結果を受信する機能と、受信した表示処理結果を表示する機能とを含む。クラウド利用事業者の閲覧者は、閲覧者利用端末４に表示された表示処理結果に基づいて、各拠点内の各工程の品質状況を把握し、必要な対策を採ることができる。
【００６４】
この閲覧者利用端末４のハードウェア構成は、当業者が容易に理解でき、実施可能であるので、図示及び説明を省略する。閲覧者利用端末４においては、上述した各機能を論理的に実現するには、フラッシュメモリに処理プログラムをアプリケーションプログラムとしてインストールしておく。そして、閲覧者利用端末４においては、電源投入または閲覧者による指示を契機に、プロセッサ（ＣＰＵ）がこの処理プログラムをＲＡＭに展開して実行する。
【００６５】
［測定ソリューションサービス提供処理］
次に、上述した測定ソリューションサービス提供システム１における動作について、図１、図１０及び関連図を併せ参照して説明する。図１０は上述した測定ソリューションサービス提供システム１における測定ソリューションサービス提供処理のシーケンスの一例を示す。なお、以下の説明では、不明確にならない限り通信ネットワーク５，６及びＩｏＴハブ３１の介在を省略する。
【００６６】
各ＩｏＴ中継装置２１においては、電源投入を契機に、処理プログラムが起動され、プロセッサ（ＣＰＵ）が次に述べる処理を遂行する。
【００６７】
［処理Ｓ８１（図１０参照）］複数の測定源Ａ，Ｂ，Ｃから送信された異なるフォーマットの測定データＡＡ，ＢＢ，ＣＣを収集する。
【００６８】
［処理Ｓ８２］収集した異なるフォーマットの測定データＡＡ，ＢＢ，ＣＣを共通フォーマットの測定データＤＤに変換する。共通フォーマットの測定データＤＤに変換するとき、利用事業者識別情報ＩＤ１、拠点識別情報ＩＤ２、測定源識別情報ＩＤ３、及び測定時刻情報ＭＴを付加する。
【００６９】
［処理Ｓ８３］クラウドコンピューティングシステム３に対して、共通フォーマットの測定データＤＤを送信する。共通フォーマットの測定データＤＤを送信するとき、ＩＰプロトコルに変換する。
【００７０】
また、クラウドコンピューティングシステム３のＳａａＳ型クラウド３２においては、電源投入を契機に、処理プログラムが起動され、プロセッサ（ＣＰＵ）が次に述べる処理を遂行する。
【００７１】
［処理Ｓ９１（図１０参照）］各ＩｏＴ中継装置２１から送信された共通フォーマットの測定データＤＤを受信する。
【００７２】
［処理Ｓ９２］受信した共通フォーマットの測定データＤＤを測定データベースＤＢ１に階層構造で集積処理する。
【００７３】
［処理Ｓ９３］集積処理した共通フォーマットの測定データＤＤを統合対象毎に集計分析処理する。
【００７４】
［処理Ｓ９４］共通フォーマットの測定データＤＤの集計分析処理の結果を表示処理し、閲覧者利用端末４からの表示要求に応じて、表示処理結果を閲覧者利用端末４に送信する。
【００７５】
さらに、閲覧者利用端末４においては、電源投入または閲覧者による指示を契機に、処理プログラムが起動され、プロセッサ（ＣＰＵ）が次に述べる処理を遂行する。
【００７６】
［処理Ｓ１０１（図１０参照）］クラウドコンピューティングシステム３に対して、共通フォーマットの測定データＤＤの表示処理結果を要求するための表示要求を送信する。
【００７７】
［処理Ｓ１０２］クラウドコンピューティングシステム３から表示処理結果を受信する。
【００７８】
［処理Ｓ１０３］受信した表示処理結果を表示する。
【００７９】
［一実施の形態の効果］
上述した一実施の形態の測定ソリューションサービス提供システム１は、ＩｏＴ技術とクラウドコンピューティング技術との連携により、共通フォーマットの測定データＤＤをクラウドコンピューティングシステム３に集積し、集計分析処理及び表示処理することにより、いつでも、どこでも、ものづくり拠点（現場）における各工程の品質状況を把握可能な画期的な測定ソリューションサービスをクラウド利用事業者に対して提供することができる。
【００８０】
また、この測定ソリューションサービス提供システム１においては、クラウドコンピューティングシステム３は、拠点毎に配置される複数のＩｏＴ中継装置２１からそれぞれ送信される共通フォーマットの測定データＤＤを処理するので、ＳａａＳ型クラウド３２のアプリケーションソフトウェアの負担を軽減し、処理能力を高めることができる。
【００８１】
［一実施の形態の第１変形例］
次に、上述した測定ソリューションサービス提供システム１における第１変形例について、図１１、図１２、図１３Ａ、図１３Ｂ及び図１４を併せ参照して説明する。
【００８２】
上述した一実施の形態の測定ソリューションサービス提供システム１においては、製造現場内の各工程に分散配置され、各工程の品質状況を測定する複数の測定源Ａ，Ｂ，Ｃの内の測定器２２Ａ，２２Ｂは、デジタル測定器であり、接続された無線送信機２３Ａ，２３Ｂを介して、近距離無線通信により測定データＡＡ，ＢＢを無線受信機２４に送信する。無線受信機２４は、測定源Ａ，Ｂから送信された測定データＡＡ，ＢＢを受信し、異なるフォーマットの測定データの状態でＩｏＴ中継装置２１に入力する。また、複数の測定源Ａ，Ｂ，Ｃの内の測定器２２Ｃは、アナログ測定器であり、有線通信により測定データＣＣをＩｏＴ中継装置２１に送信する、という説明を行った。
【００８３】
図１１に示す第１変形例の測定ソリューションサービス提供システム１においては、デバイスネットワーク２における測定源Ｃの測定器２２Ｃは、スタンドアロン状態のアナログ測定器（例えば、図１２に示す二針型ダイヤルゲージ）であり、測定源Ｃは、有線通信により測定データＣＣをＩｏＴ中継装置２１に送信するために、測定データ入力装置２５を含む構成を採る。
【００８４】
この測定データ入力装置２５は、パーソナルコンピュータ、スマートフォン、またはタブレット端末などにより構成され、後に詳述する測定データ入力機能を遂行するための処理プログラムがクラウド提供事業者から少なくとも提供されることにより、クラウド利用事業者の測定作業者によって利用される。
【００８５】
測定作業者が、スタンドアロン状態の測定器２２Ｃにより例えば部品の寸法を予め定めた間隔で測定し、入力した測定データＣＣを送信するとき、測定データ入力装置２５においては、図１３Ａまたは図１３Ｂに一例を示す測定データ入力画面２５１が表示される。この測定データ入力画面２５１は、基準値表示部２５２、数値選択部２５３、測定データ表示部２５４、及びモード切替部２５５などを含む。
【００８６】
図１３Ａを参照すると、測定作業者が、モード切替部２５５のモードボタンにより第１モードを指定して、測定器２２Ｃにより測定した測定データＣＣを入力するとき、測定データ入力画面２５１における基準値表示部２５２には、予め定められた基準値（例えば、０．０１５）が表示される。この基準値は、測定源Ｃ対応の工程で測定される部品の寸法（単位：ｍｍ）の基準（狙い値）を示し、測定作業者のテンキー操作などにより、測定データ入力装置２５のメモリに予め登録（格納）される。
【００８７】
また、測定データ表示部２５４には、実測値の候補として、０．０１Ｘが表示される。ここで、０．０１Ｘの内の「Ｘ」に対応する最下位の桁位置はブランクの状態で点滅カーソルにより表示される。測定作業者は、実測値が例えば０．０１９であるとき、基準値（０．０１５）と実測値（０．０１９）との差分（０．００４）の内の最下位の桁に対応する数値「４」を数値選択部２５３における数値表示配列から選択して指定する。これにより、数値選択部２５３で指定された最下位の桁に対応する数値と基準値との加算に応じた数値が測定データ表示部２５４におけるブランク状態の桁位置に表示される結果、測定データ表示部２５４には、実測値の全桁に対応する測定データ０．０１９が表示される。
【００８８】
測定作業者が、測定データ表示部２５４に表示された測定データを確認し、確定ボタン２５６を指定すると、測定データ入力装置２５は、測定データ表示部２５４に表示している測定データ０．０１９を異なるフォーマットの測定データＣＣとしてＩｏＴ中継装置２１に有線通信により送信する。
【００８９】
ＩｏＴ中継装置２１は、上述した一実施の形態と同様に、変換した共通フォーマットの測定データＤＤの処理を要求するために、第１通信ネットワーク５を介し、クラウドコンピューティングシステム３に対して、共通フォーマットの測定データＤＤを送信する。
【００９０】
この第１モードにおいては、基準値と実測値との差分の内の最下位の桁に対応する数値を数値選択部２５３における数値表示配列から選択して、限定的に入力することを測定作業者に可能にする。
【００９１】
続いて、図１３Ｂを参照すると、測定作業者が、モード切替部２５５のモードボタンにより第２モードを指定して、測定器２２Ｃにより測定した測定データＣＣを入力するとき、測定データ入力画面２５１における基準値表示部２５２には、予め定められた基準値（例えば、０．０１５）が表示される。この基準値は、測定源Ｃ対応の工程で測定される部品の寸法（単位：ｍｍ）の基準（狙い値）を示し、測定作業者のテンキー操作などにより、測定データ入力装置２５のメモリに予め登録（格納）される。
【００９２】
また、測定データ表示部２５４には、実測値の候補として、０．０１Ｘが表示される。ここで、０．０１Ｘの内の「Ｘ」に対応する最下位の桁位置はブランクの状態で点滅カーソルにより表示される。測定作業者は、実測値が例えば０．０１４であるとき、基準値（０．０１５）と実測値（０．０１４）との相違部分に対応する数値「４」を数値選択部２５３における数値表示配列から選択して指定する。これにより、数値選択部２５３で指定された数値が測定データ表示部２５４におけるブランク状態の桁位置に表示される結果、測定データ表示部２５４には、実測値の全桁に対応する測定データ０．０１４が表示される。
【００９３】
測定作業者が、測定データ表示部２５４に表示された測定データを確認し、確定ボタン２５６を指定すると、測定データ入力装置２５は、測定データ表示部２５４に表示している測定データ０．０１４を異なるフォーマットの測定データＣＣとしてＩｏＴ中継装置２１に有線通信により送信する。
【００９４】
ＩｏＴ中継装置２１は、上述した一実施の形態と同様に、変換した共通フォーマットの測定データＤＤの処理を要求するために、第１通信ネットワーク５を介し、クラウドコンピューティングシステム３に対して、共通フォーマットの測定データＤＤを送信する。
【００９５】
この第２モードにおいては、基準値と実測値との相違部分に対応する数値を数値選択部２５３における数値表示配列から選択して、限定的にダイレクト入力することを測定作業者に可能にする。
【００９６】
なお、上述した測定データ入力機能の第１モード及び第２モードにおいては、予め定められた基準値と実測値との差分の内の最下位の桁に対応する数値、及び予め定められた基準値と実測値との相違部分である最下位の桁に対応する数値を数値選択部２５３における数値表示配列からそれぞれ選択して、限定的に入力可能にしているが、点滅カーソルの移動操作により、下位の複数の桁に対応する数値を選択入力してもよい。
【００９７】
上述した測定データ入力装置２５のハードウェア構成は、当業者が容易に理解でき、実施可能であるので、図示及び説明を省略する。測定データ入力装置２５においては、上述した測定データ入力機能を論理的に実現するには、フラッシュメモリに測定データ入力処理プログラムをアプリケーションプログラムとしてインストールしておく。そして、測定データ入力装置２５においては、電源投入または測定作業者による指示を契機に、プロセッサ（ＣＰＵ）がこの処理プログラムをＲＡＭに展開して実行する。
【００９８】
つまり、測定データ入力装置２５においては、電源投入または測定作業者による指示を契機に、処理プログラムが起動され、プロセッサが次に述べる測定データ入力処理を遂行する。
【００９９】
［処理Ｓ１４１（図１４参照）］測定データ入力画面２５１を表示し、メモリに予め格納されている基準値（例えば、０．０１５）を読み出して基準値表示部２５２に表示する。
【０１００】
［処理Ｓ１４２］測定作業者がモード切替部２５５のモードボタンにより第１モードを指定しているときは、実測値の候補として、０．０１Ｘを測定データ表示部２５４に表示する。ここで、０．０１Ｘの内の「Ｘ」に対応する最下位の桁位置はブランクの状態で点滅カーソルにより表示する。
【０１０１】
［処理Ｓ１４３］測定作業者が基準値（０．０１５）と実測値（０．０１９）との差分（０．００４）の内の最下位の桁に対応する数値「４」を数値選択部２５３における数値表示配列から選択して指定したときは、基準値（０．０１５）と最下位の桁に対応する数値「４」とを加算し、測定データ表示部２５４におけるブランク状態の桁位置に表示して、実測値の全桁に対応する測定データ０．０１９を測定データ表示部２５４に表示する。
【０１０２】
［処理Ｓ１４４］測定作業者が確定ボタン２５６を指定すると、測定データＣＣとして、測定データ０．０１９ｍｍをＩｏＴ中継装置２１に有線通信により送信する。
【０１０３】
［処理Ｓ１４５］また、測定作業者がモード切替部２５５のモードボタンにより第２モードを指定しているときは、実測値の候補として、０．０１Ｘを測定データ表示部２５４に表示する。ここで、０．０１Ｘの内の「Ｘ」に対応する最下位の桁位置はブランクの状態で点滅カーソルにより表示する。
【０１０４】
［処理Ｓ１４６］測定作業者が基準値（０．０１５）と実測値（０．０１４）との相違部分に対応する数値「４」を数値選択部２５３における数値表示配列から選択して指定したときは、指定された数値「４」を測定データ表示部２５４におけるブランク状態の桁位置に表示して、実測値の全桁に対応する測定データ０．０１４を測定データ表示部２５４に表示する。
【０１０５】
［処理Ｓ１４７］測定作業者が確定ボタン２５６を指定すると、測定データＣＣとして、測定データ０．０１４ｍｍをＩｏＴ中継装置２１に有線通信により送信する。
【０１０６】
上述した第１変形例の測定ソリューションサービス提供システム１においては、スタンドアロン状態の測定器２２Ｃを含む測定源Ｃがデバイスネットワーク２に存在する場合でも、測定データ入力装置２５がこの測定源Ｃからの測定データＣＣをＩｏＴ中継装置２１に送信することにより、クラウドコンピューティングシステム３が提供する測定ソリューションサービスに反映することができる。
【０１０７】
上述した第１変形例は、後に詳述する第２変形例の測定ソリューションサービス提供システム１においても適用可能である。
【０１０８】
［一実施の形態の第２変形例］
次に、上述した測定ソリューションサービス提供システム１における第２変形例について、図１５、図１６及び図１７を併せ参照して説明する。
【０１０９】
上述した一実施の形態の測定ソリューションサービス提供システム１においては、製造現場内の各工程に分散配置され、各工程の品質状況を測定する複数の測定源Ａ，Ｂ，Ｃの内の測定器２２Ａ，２２Ｂは、デジタル測定器であり、接続された無線送信機２３Ａ，２３Ｂを介して、近距離無線通信により測定データＡＡ，ＢＢを無線受信機２４に送信する。無線受信機２４は、測定源Ａ，Ｂから送信された測定データＡＡ，ＢＢを受信し、異なるフォーマットの測定データの状態でＩｏＴ中継装置２１に入力する。また、複数の測定源Ａ，Ｂ，Ｃの内の測定器２２Ｃは、アナログ測定器であり、有線通信により測定データＣＣをＩｏＴ中継装置２１に送信する、という説明を行った。
【０１１０】
図１５に示す第２変形例の測定ソリューションサービス提供システム１において、複数の測定源Ａ，Ｂ，Ｃの内の測定器２２Ａ，２２Ｂは、デジタル測定器（例えば、図１６に示すゲージ）であり、接続された無線送信機２３Ａ，２３Ｂを介して、近距離無線通信により測定データＡＡ，ＢＢを無線受信機２４に送信する。しかし、無線送信機２３Ａ，２３Ｂと無線受信機２４との間の無線通信区間においては、製造現場内の環境などの影響を受けて、測定データＡＡ，ＢＢが欠損することがある。製造現場対応の拠点毎に配置されるＩｏＴ中継装置２１は、このような測定データの欠損を救済するためのデータ欠損救済機能を更に含む。
【０１１１】
ＩｏＴ中継装置２１は、例えば、測定源Ａの無線送信機２３Ａから送信される異なるフォーマットの測定データＡＡを無線受信機２４を介して収集するとき（図１０中の処理Ｓ８１参照）、データ欠損救済機能として、受信した測定データＡＡを測定データ受信確認画面２１１（図１７参照）に表示するように予め設定されている。
【０１１２】
また、ＩｏＴ中継装置２１は、測定データＡＡを収集するとき、データ欠損救済機能として、予め定めた間隔で測定データＡＡを受信できない場合は、測定源ＡとＩｏＴ中継装置２１との間の無線通信区間におけるデータ欠損の発生を測定作業者に通知するために、通信異常メッセージ（例えば、タイムアウトが発生しました）を測定データ受信確認画面２１１に表示するように予め設定されている。
【０１１３】
測定作業者は、通信異常メッセージが測定データ受信確認画面２１１に表示されないことを確認することにより、ＩｏＴ中継装置２１における測定データＡＡの正常受信を認識することができる。一方、測定作業者は、通信異常メッセージが測定データ受信確認画面２１１に表示されたときは、データ欠損の発生と判断し、再度測定を行うために測定器２２Ａの再測定ボタンを操作する。
【０１１４】
図１７に例示する測定データ受信確認画面２１１においては、測定源Ａの測定器２２Ａにより、同一部品の３箇所についての寸法測定が行われ、測定データＡＡとして、測定源ＡからＩｏＴ中継装置２１に送信される状態遷移を示しているが、１箇所についての寸法測定であってもよい。
【０１１５】
上述した第２変形例の測定ソリューションサービス提供システム１においては、測定源とＩｏＴ中継装置２１との間に無線通信区間が存在し、データ欠損が発生した場合でも、該当測定源からの測定データをＩｏＴ中継装置２１に再度送信可能にすることにより、クラウドコンピューティングシステム３が提供する測定ソリューションサービスに反映することができる。
【０１１６】
上述した第２変形例は、図１１に示す第１変形例の測定ソリューションサービス提供システム１においても適用可能である。
【０１１７】
［他の変形例］
上述した一実施の形態、第１変形例、及び第２変形例における処理はコンピュータで実行可能なプログラムとして提供され、ＣＤ−ＲＯＭやフレキシブルディスクなどの非一時的コンピュータ可読記録媒体、さらには通信回線を経て提供可能である。
【０１１８】
また、上述した一実施の形態、第１変形例、及び第２変形例における各処理はその任意の複数または全てを選択し組合せて実施することもできる。
【符号の説明】
【０１１９】
１      測定ソリューションサービス提供システム
２      デバイスネットワーク
３      クラウドコンピューティングシステム
４      閲覧者利用端末
５      第１通信ネットワーク
６      第２通信ネットワーク
２１    ＩｏＴ中継装置
２２Ａ  測定器
２２Ｂ  測定器
２２Ｃ  測定器
２３Ａ  無線送信機
２３Ｂ  無線送信機
２４    無線受信機
２５    測定データ入力装置
３１    ＩｏＴハブ
３２    ＳａａＳ型クラウド
ＤＢ１  測定データベース
２５１  測定データ入力画面
２１１  測定データ受信確認画面
【図１】
2019145113.tif 000003
【図２】
2019145113.tif 000004
【図３】
2019145113.tif 000005
【図４】
2019145113.tif 000006
【図５】
2019145113.tif 000007
【図６】
2019145113.tif 000008
【図７】
2019145113.tif 000009
【図８】
2019145113.tif 000010
【図９】
2019145113.tif 000011
【図１０】
2019145113.tif 000012
【図１１】
2019145113.tif 000013
【図１２】
2019145113.tif 000014
【図１３Ａ】
2019145113.tif 000015
【図１３Ｂ】
2019145113.tif 000016
【図１４】
2019145113.tif 000017
【図１５】
2019145113.tif 000018
【図１６】
2019145113.tif 000019
【図１７】
2019145113.tif 000020
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
複数の測定源から送信される測定データを収集し、
収集した前記測定データの処理を要求するために、通信ネットワークを介して、前記測定データを送信する、
ように構成されたプロセッサを含み、ＩｏＴゲートウェイとして機能し、拠点毎に配置される複数の中継装置と；
前記拠点毎に配置される複数の中継装置からそれぞれ送信される前記測定データを受信し、測定データベースに論理的なトリー形態を採る階層構造で集積処理し、
集積処理した前記測定データを前記拠点毎に集計分析処理すると共に、前記拠点間の統合対象毎に集計分析処理し、
前記測定データの集計分析処理の結果を表示処理し、表示要求に応じて、表示処理結果を送信する、
ように構成されたクラウドコンピューティングシステムと；を備え、
前記測定データは、前記クラウドコンピューティングシステムの利用事業者を特定する識別情報を始点とし、前記拠点を特定する識別情報及び前記測定源を特定する識別情報を分岐点とし、前記測定源における測定値及び測定時刻情報を終点とする、前記論理的なトリー形態を採る階層構造で前記測定データベースに集積され、
前記クラウドコンピューティングシステムにおける前記集計分析処理は、前記論理的なトリー形態を採る階層構造の終点として前記測定データベースに集積されている前記測定源における測定値について、同一始点配下の前記拠点間の関連性を前記測定値の測定単位または前記測定源の種別に基づいて認識することにより、前記測定データを前記拠点間の統合対象毎に集計分析処理する、
測定ソリューションサービス提供システム。
【請求項２】
前記複数の測定源は測定器をそれぞれ含み、
前記測定器は前記測定データを自立的に送信可能な測定器を含む、
請求項１記載の測定ソリューションサービス提供システム。
【請求項３】
前記複数の測定源は測定器をそれぞれ含み、
前記測定器は前記測定データを自立的に送信可能な測定器と併存するスタンドアロン状態の測定器を含む、
請求項１記載の測定ソリューションサービス提供システム。
【請求項４】
前記測定データを収集する処理は、前記スタンドアロン状態の測定器による前記測定データを入力可能にするための画面を表示する測定データ入力装置から送信される前記測定データを収集する、
請求項３記載の測定ソリューションサービス提供システム。
【請求項５】
複数の測定源から送信される測定データを収集するステップと、
収集した前記測定データの処理を要求するために、通信ネットワークを介して、前記測定データを送信するステップとを、
ＩｏＴゲートウェイとして機能し、拠点毎に配置される複数の中継装置におけるプロセッサがそれぞれ処理し；
前記拠点毎に配置される複数の中継装置からそれぞれ送信される前記測定データを受信し、測定データベースに論理的なトリー形態を採る階層構造で集積処理するステップと、
集積処理した前記測定データを前記拠点毎に集計分析処理すると共に、前記拠点間の統合対象毎に集計分析処理するステップと、
前記測定データの集計分析処理の結果を表示処理し、表示要求に応じて、表示処理結果を送信するステップとを、
クラウドコンピューティングシステムが処理し；
前記測定データは、前記クラウドコンピューティングシステムの利用事業者を特定する識別情報を始点とし、前記拠点を特定する識別情報及び前記測定源を特定する識別情報を分岐点とし、前記測定源における測定値及び測定時刻情報を終点とする、前記論理的なトリー形態を採る階層構造で前記測定データベースに集積され、
前記クラウドコンピューティングシステムにおける前記集計分析処理するステップは、前記論理的なトリー形態を採る階層構造の終点として前記測定データベースに集積されている前記測定源における測定値について、同一始点配下の前記拠点間の関連性を前記測定値の測定単位または前記測定源の種別に基づいて認識することにより、前記測定データを前記拠点間の統合対象毎に集計分析処理する、
測定ソリューションサービス提供方法。
【請求項６】
複数の測定源から送信される測定データを収集し、
収集した前記測定データの処理を要求するために、通信ネットワークを介して、前記測定データを送信する、
ように構成されたプロセッサを含み、ＩｏＴゲートウェイとして機能する複数の中継装置と連携するクラウドコンピューティングシステムであって；
拠点毎に配置される前記複数の中継装置からそれぞれ送信される前記測定データを受信し、測定データベースに論理的なトリー形態を採る階層構造で集積処理し、
集積処理した前記測定データを前記拠点毎に集計分析処理すると共に、前記拠点間の統合対象毎に集計分析処理し、
前記測定データの集計分析処理の結果を表示処理し、表示要求に応じて、表示処理結果を送信するように構成され、
前記測定データは、前記クラウドコンピューティングシステムの利用事業者を特定する識別情報を始点とし、前記拠点を特定する識別情報及び前記測定源を特定する識別情報を分岐点とし、前記測定源における測定値及び測定時刻情報を終点とする、前記論理的なトリー形態を採る階層構造で前記測定データベースに集積され、
前記集計分析処理は、前記論理的なトリー形態を採る階層構造の終点として前記測定データベースに集積されている前記測定源における測定値について、同一始点配下の前記拠点間の関連性を前記測定値の測定単位または前記測定源の種別に基づいて認識することにより、前記測定データを前記拠点間の統合対象毎に集計分析処理する、
クラウドコンピューティングシステム。
【請求項７】
複数の測定源から送信される測定データを収集し、
収集した前記測定データの処理を要求するために、通信ネットワークを介して、前記測定データを送信する、
ように構成されたプロセッサを含み、ＩｏＴゲートウェイとして機能する複数の中継装置と連携するクラウドコンピューティングシステムを、
拠点毎に配置される前記複数の中継装置からそれぞれ送信される前記測定データを受信し、測定データベースに論理的なトリー形態を採る階層構造で集積処理する手段と、
集積処理した前記測定データを前記拠点毎に集計分析処理すると共に、前記拠点間の統合対象毎に集計分析処理する手段と、
前記測定データの集計分析処理の結果を表示処理し、表示要求に応じて、表示処理結果を送信する手段として機能させ、
前記測定データは、前記クラウドコンピューティングシステムの利用事業者を特定する識別情報を始点とし、前記拠点を特定する識別情報及び前記測定源を特定する識別情報を分岐点とし、前記測定源における測定値及び測定時刻情報を終点とする、前記論理的なトリー形態を採る階層構造で前記測定データベースに集積され、
前記集計分析処理する手段は、前記論理的なトリー形態を採る階層構造の終点として前記測定データベースに集積されている前記測定源における測定値について、同一始点配下の前記拠点間の関連性を前記測定値の測定単位または前記測定源の種別に基づいて認識することにより、前記測定データを前記拠点間の統合対象毎に集計分析処理する、
測定ソリューションサービス提供プログラム。